(57)【特許請求の範囲】
【請求項１】
ベネシャンブラインドを支持するヘッドボックス（１）と、前記ヘッドボックスに内設されてスラット（８）の昇降コード（７）の一端を通し前記ヘッドボックス外の室内側に垂下させると共に前記昇降コードを任意の位置で挟持制動することができるストッパ機構（１０）と、前記ヘッドボックスに長手方向に回転自在に軸支され回転して前記スラットを傾動させる傾動軸（６）と、前記ヘッドボックスに内設されて出力軸（１９）を前記傾動軸に連結すると共に入力軸（２２）を前記ヘッドボックス外の室内側に突出し自在継手（２３，２５）を介して傾動操作棒（２４）を垂下するギアボックス（１７）と、前記ストッパ機構と前記ギアボックスとを前記ヘッドボックスに固定する固定手段とを備えたベネシャンブラインドの操作装置において、前記ストッパ機構及び前記ギアボックスは、前記傾動軸を軸心として前記ヘッドボックスの一方の壁面側から他方の壁面側に部分回転可能に形成され、前記一方の壁面側に回転して固定されたとき前記昇降コードと前記傾動操作棒とを前記一方の壁面側に垂下すると共に前記他方の壁面側に回転して固定されたとき前記昇降コードと前記傾動操作棒とを前記他方の壁面側に垂下し、前記ヘッドボックスは、前記一方の壁面側から前記他方の壁面側に底板を横切って穿設され前記昇降コードと前記ギアボックスの出力軸とを前記一方の壁面側から前記他方の壁面側に移動可能に遊通させる開口部（５）を備え、前記固定手段は、前記ギアボックス（１７）に突設されて固定位置で前記開口部に係止する係止部材（２６）を備えたことを特徴とするベネシャンブラインドの操作装置。
【請求項２】
固定手段は、ストッパ機構（１０）及びギアボックス（１７）とヘッドボックス（１）との間に着脱可能に挟装されて係止部材（２６）を前記ヘッドボックスに係止させ前記ストッパ機構と前記ギアボックスとを前記ヘッドボックスに固定するスペーサ（２７）を備え、前記スペーサ（２７）は、いずれの固定位置においても前記ストッパ機構（１０）及び前記ギアボックス（１７）と前記ヘッドボックス（１）との間に着脱可能に挟装されることを特徴とする、請求項１に記載のベネシャンブラインドの操作装置。
【請求項３】
前記ストッパ機構（１０）は、前記ヘッドボックス（１）と一体に設けられたことを特徴とする、請求項１又は請求項２に記載のベネシャンブラインドの操作装置。
【発明の詳細な説明】
【０００１】
【発明の属する技術分野】
本発明は、ベネシャンブラインドの操作装置、特に、スラットの昇降コードと傾動操作棒とを分離してブラインドのヘッドボックス本体に備えたベネシャンブラインドの操作装置に関する。
【０００２】
【従来の技術】
従来、ベネシャンブラインドの操作装置には、スラットを昇降させる昇降コードとスラットを傾動させる傾動操作棒とを分離してブラインドのヘッドボックス本体に備えたものと、傾動操作棒を中空としこの中空操作棒の中に昇降コードを通して昇降コードと傾動操作棒とを一体化したものとがある。ここで、前者の分離型のベネシャンブラインドでは、例えば、昇降コードと傾動操作棒とを室内側から見て左側に配した所謂左勝手ブラインドを、周囲の状況やユーザの好みに対応してこれらを室内側から見て右側に配した所謂右勝手ブラインドに変更したい場合には、左勝手ブラインドと右勝手ブラインドとの間には昇降コード及び傾動操作棒の室内側への突き出しの必要性により左右の互換性がないため、夫々につき専用のベネシャンブラインドを使用しなければならない。
【０００３】
【発明が解決しようとする課題】
しかしながら、上述したように、左勝手ブラインドと右勝手ブラインドとの間で夫々について専用のベネシャンブラインドを使用するのでは、メーカ側は２種類のベネシャンブラインドを製造しストックする必要がある一方、ユーザ側も左右勝手の変更を行いたいときに勝手の異なるベネシャンブラインドを新たに購入しなければならないという問題がある。このため、昇降コードと傾動操作棒とを分離してヘッドボックス本体に備えたベネシャンブラインドについて、左右勝手に互換性を持たせることが強く望まれていた。
【０００４】
本発明はこのような問題を解決するためになされたもので、スラットの昇降コードと傾動操作棒とを分離してヘッドボックス本体に備えたベネシャンブラインドについて、昇降コードと傾動操作棒とをヘッドボックスから着脱することなく、部品を交換せずに、左右勝手をブラインドの取付け時等にも極めて容易に換装することができ、メーカ側及びユーザ側双方にとりコスト的に極めて有利なベネシャンブラインドの操作装置を提供することを目的とする。
【０００５】
【課題を解決するための手段】
上述の目的を達成するために、本発明のベネシャンブラインドの操作装置は、傾動軸を軸心としてヘッドボックスの一方の壁面側から他方の壁面側に部分回転可能に形成され、一方の壁面側に回転して固定されたとき昇降コードと傾動操作棒とを一方の壁面側に垂下すると共に他方の壁面側に回転して固定されたとき昇降コードと傾動操作棒とを他方の壁面側に垂下するストッパ機構及びギアボックスと、昇降コードとギアボックスの入力軸とを一方の壁面側から他方の壁面側に移動可能に遊通させる開口部を有するヘッドボックスとを備え、また、ストッパ機構とギアボックスとに配設されて固定位置でヘッドボックスに係止する係止部材と、ストッパ機構及びギアボックスとヘッドボックスとの間に着脱可能に挟装されて係止部材をヘッドボックスに係止させるスペーサとを備え、さらに、いずれの固定位置においてもストッパ機構及びギアボックスとヘッドボックスとの間に着脱可能に挟装できるスペーサを備えたことにある。
【０００６】
【発明の実施の形態】
上述のベネシャンブラインドの操作装置において、ストッパ機構とギアボックスとを傾動軸を軸心としてヘッドボックスの一方の壁面側から他方の壁面側に部分回転可能にし、ヘッドボックスに昇降コードとギアボックスの入力軸とを一方の壁面側から他方の壁面側に移動可能に遊通させる開口部を設けたので，昇降コードと傾動操作棒とを着脱することなくブラインドの左右勝手を換装することができ、また、着脱可能なスペーサによりストッパ機構とギアボックスとをヘッドボックスに固定するようにし、さらに、スペーサをいずれの固定位置においても使用できるようにした。
【０００７】
【実施例】
以下、本発明の実施例を、図１ないし図６を参照して詳細に説明する。
図１において、符号１は、ベネシャンブラインドのヘッドボックスを示し、ヘッドボックス１は窓枠等に固着されてブラインド全体を支持する。図６に示されるように、ヘッドボックス１の端部に、一方の壁面２の側から他方の壁面３の側に底板４を横切る開口部５を穿設する。図１に示されるように、ヘッドボックス１の長手方向に断面が６角形の傾動軸６を回転自在に軸支する。傾動軸６に図示しない傾動ドラムを取り付け、傾動ドラムにラダコード７を巻き掛ける。ラダコード７にスラット８とボトムレール９とを取り付ける。傾動軸６を回転すればスラット８の角度を変更することができる。
【０００８】
図２に示されるように、ヘッドボックス１の端部に、夫々のハウジング１１，１８を一体に結合したストッパ機構１０とギアボックス１７とを、ストッパ機構１０をヘッドボックス１の中央側に、夫々内設する。図３に示されにように、ストッパ機構１０のハウジング１１の端部側の内壁に、歯列を刻設した傾斜面１２を形成する。回転軸をハウジング１１に遊通させて傾斜面１２に噛合転動可能な円筒形の歯車１３を配設する。ピン１４をハウジング１１に固着し、歯車１３の飛び出しを防止する。歯車１３と平行に、ローラ１５を回転自在に軸支する。図２に示されるように、他端をボトムレール９に結合したスラット８の昇降コード１６をローラ１５と歯車１３との間に通し、一端をヘッドボックス１外の室内側に垂下する。図３に示されるように、昇降コード１６に僅かな衝撃を与えると歯車１３と昇降コード１６との噛み合いが外れて、昇降コード１６を引き下げ又は上方に緩めることができ、これによりスラット８を上昇又は下降させることができる。昇降コード１６を歯車１３に押し当てると、ローラ１５と歯車１３との間に挟持されて、昇降コード１６をスラット８等の自重に抗して任意の位置で挟持制動することができる。
【０００９】
図４に示されるように、ギアボックス１７において、傾動軸６に出力軸のピニオン１９を嵌合し、ピニオン１９に内接ギア２０を噛合する。内接ギア２０にはベベルギア２１が一体に形成され、ベベルギア２１は入力軸のベベルギア２２と噛合する。ベベルギア２２はギアボックス１７のハウジング１８から突出し、先端にリング２３を形成する。リング２３に傾動操作棒２４のフック２５を掛着して自在継手を形成し、傾動操作棒２４をヘッドボックス１外の室内側に垂下する。傾動操作棒２４を回動すると、傾動軸６が回転しスラット８を傾動することができる。図示していないが、ベベルギアの代わりにウォームを使用してもよい。例えば、ベベルギア２２をウォームとし、傾動軸６にそのウォームとかみ合うウォームホイールを取付ける。
【００１０】
図１に示されるように、傾動軸６はヘッドボックス１の両壁面２，３の中央に配設されており、ギアボックス１７のハウジング１８を、傾動軸６とベベルギア２２の軸心とを通る面（以下、対称面という）に対し左右対称に形成する。本ベネシャンブラインドの操作装置では、ピニオン１９、内接ギア２０及びベベルギア２１を介して傾動軸６とベベルギア２２とを連結しているので、ハウジング１８の形状に対する自由度が高く、対称面に対して左右対称に形成することが容易である。ギアボックス１７のハウジング１８にヘッドボックス１の開口部５に係止する係止部材２６を突設する。係止部材２６も対称面に対して左右対称に形成する。ギアボックス１７のハウジング１８とヘッドボックス１との間に断面が略直角三角形に形成されたスペーサ２７を挟装し、ハウジング１８の係止部材２６をヘッドボックス１の開口部５に係止して、ストッパ機構１０とギアボックス１７とをヘッドボックス１に固定する。
【００１１】
次に、本ベネシャンブラインドの操作装置の作動について、図５及び図６を参照して説明する。ヘッドボックス１の開口部５は、昇降コード１６とギアボックス１７のベベルギア２２とを一方の壁面２の側から他方の壁面３の側に移動可能に遊通する。従って、ストッパ機構１０とギアボックス１７は、傾動軸６を中心にヘッドボックス１の開口部５の開口範囲で部分回転可能である。スペーサ２７は着脱可能であり、スペーサ２７を抜き出し、ストッパ機構１０とギアボックス１７とを一体に一方の壁面２の側から他方の壁面３の側に回転移動する。ヘッドボックス１は傾動軸６を含む垂直面に対して左右対称であり、また、ギアボックス１７のハウジング１８も対称面に対して左右対称であるから、スペーサ２７を１８０°反転すれば、スペーサ２７を再びギアボックス１７のハウジング１８とヘッドボックス１との間に挟装することができる。これにより、ハウジング１８の係止部材２６をヘッドボックス１の開口部５に係止して、ストッパ機構１０とギアボックス１７とをヘッドボックス１に固定することができる。このようにして、本ベネシャンブラインドの操作装置において、昇降コード１６と傾動操作棒２４とを着脱することなく、部品を交換せずに、右勝手ブラインドを左勝手ブラインドに換装することができる。同様にして、左勝手ブラインドを再び右勝手ブラインドに換装することもできる。
【００１２】
なお、本ベネシャンブラインドの操作装置では、スペーサ２７を用いてストッパ機構１０とギアボックス１７とをヘッドボックス１に固定しており、ヘッドボックス１の表面にボルトヘッド等が現れず見栄えを向上させることができるが、スペーサ２７を用いずに、ねじ止め等によりストッパ機構１０とギアボックス１７とをヘッドボックス１に固定するようにしてもよい。
【００１３】
また、ストッパ機構１０のハウジング１１とギアボックス１７のハウジング１８とを一体化せず分離して、ストッパ機構１０のハウジング１１とギアボックス１７のハウジング１８とを夫々傾動軸６に対して部分回転可能に形成し、ストッパ機構１０とギアボックス２０とを別々に、スペーサ又はねじ止め等によりヘッドボックス１に固定するようにしてもよい。
【００１４】
【発明の効果】
以上詳細に説明したように、本発明のベネシャンブラインドの操作装置において、ストッパ機構とギアボックスとを傾動軸を軸心としてヘッドボックスの一方の壁面側から他方の壁面側に部分回転可能にし、ヘッドボックスに昇降コードとギアボックスの入力軸とを一方の壁面側から他方の壁面側に移動可能に遊通させる開口部を設け、また、着脱可能なスペーサによりストッパ機構とギアボックスとをヘッドボックスに固定するようにし、さらに、スペーサをいずれの固定位置においても使用できるものとしたので、昇降コードと傾動操作棒とをヘッドボックスから着脱することなく、部品を交換せずに、左右勝手を極めて容易に換装することができ、これにより、メーカ側及びユーザ側双方にとりコスト的に極めて有利になるという優れた効果を奏する。
【図面の簡単な説明】
【図１】本発明に係るベネシャンブラインドの操作装置の具体的構成を示す側面図である。
【図２】図１のベネシャンブラインドの操作装置の、壁面２を削除したときの内部構成を示す正面図である。
【図３】図１のストッパ機構１０の内部構成を示す部分断面図である。
【図４】図１のギアボックス１７の内部構成を示す部分断面図である。
【図５】図１のベネシャンブラインドの操作装置の逆の操作勝手を示す側面図である。
【図６】図１のベネシャンブラインドの操作装置の概略構成を示す分解斜視図である。
【符号の説明】
１  ヘッドボックス、２，３  壁面、４  底板、５  開口部、６  傾動軸、７  ラダコード、８  スラット、９  ボトムレール、１０  ストッパ機構、１１ハウジング、１２  傾斜面、１３  歯車、１４  ピン、１５  ローラ、１６  昇降コード、１７  ギアボックス、１８  ハウジング、１９  ピニオン、２０  内接ギア、２１，２２ベベルギア、２３  リング、２４  傾動操作棒、２５  フック、２６  係止部材、２７  スペーサ
【図１】
0003582170.tif 000002
【図２】
0003582170.tif 000003
【図３】
0003582170.tif 000004
【図４】
0003582170.tif 000005
【図５】
0003582170.tif 000006
【図６】
0003582170.tif 000007